(57)【要約】【課題】段ボールシートからの型どりの無駄を低減するとともに、付属品の収納空間を確保し且つ付属品を収納しない場合でも圧縮強度を確保する。【解決手段】第１外壁部１２ａ、内壁部１２ｅ、内壁部２３、第１外壁部１２ａ側の主仕切部２５ａにより第１の収納空間３０を形成し、第２外壁部１２ｂ、内壁部１２ｅ、内壁部２３、第２外壁部１２ｂ側の主仕切部２６ａにより第２の収納空間３１を形成し、付属品用蓋部２６ｂ、副仕切部２６ｃを折り曲げて副仕切部２６ｃを主仕切部２５ａに重ね、副仕切部２６ｃと主仕切部２６ａとの間に第３の収納空間３２を形成し、内壁部１２ｅを折り曲げて第３外壁部１２ｃに重ね、重なった内壁部１２ｅと第３外壁部１２ｃの間に補強片２２、２７を挿入する構成。【選択図】図３
2005313933.tif 000002
【特許請求の範囲】
【請求項１】
一枚の段ボールを型どりしそこに切れ目や折り目を入れて組み立てる梱包箱であって、底部の周囲に折り目を介して連設され、それぞれ対向する外壁部を構成する第１外壁部と第２外壁部および第３外壁部と第４外壁部を備え、
前記第３外壁部に折り目を介して連設された内壁部と、内壁部の端部に形成された切欠部と、第４外壁部に折り目を介して連設された外蓋部と、
第１外壁部および第２外壁部の三辺にそれぞれ形成され、第３外壁部側に折り目を介して連設された補強片、第４外壁部側に折り目を介して連設された内壁部、補強片と内壁部との間の外側に折り目を介して連設された内蓋部と、
第１外壁部および第２外壁部の一対の内壁部に前記外蓋部に沿って、折り目を介して連設された主仕切部と、主仕切部の外側に折り目を介して連設された付属品用蓋部および副仕切部と、主仕切部に前記外蓋部に沿って折り目を介して連接された補強片とを有し、
第１外壁部、第１外壁部側の内壁部及び主仕切部により第１の収納空間を形成し、第２外壁部、第２外壁部側の内壁部及び主仕切部により第２の収納空間を形成し、付属品用蓋部、副仕切部を折り曲げて副仕切部を主仕切部に重ね、副仕切部と主仕切部との間に第３の収納空間を形成し、第３外壁部に連接された内壁部を折り曲げて第３外壁部に重ね、重なった内壁部と第３外壁部の間に前記補強片を挿入して構成されることを特徴とする梱包箱。
【発明の詳細な説明】
【技術分野】
【０００１】
本発明は、一枚の段ボールから組み立てる梱包箱に関する。
【背景技術】
【０００２】
例えば、図６に示すように、近赤外線を用いた侵入検知装置は、通常、投光器１と受光器２の一対を最小単位として構成され、投光器１と受光器２を梱包箱３内に並置して収納した後、投光器１と受光器２を内蓋部３ａ、仕切部３ｂで覆い、このとき形成される一対の仕切部３ｂの間の空間に取付金具やネジ等の付属品収納袋４を挿入している。なお、５は取扱説明書である。
【特許文献１】特開２０００−５３１２２
【発明の開示】
【発明が解決しようとする課題】
【０００３】
図７は、図６の梱包箱の展開図である。図中、３ｃは底部、３ｄは側壁部、３ｅは外蓋部であり、点線は折り目を示している。この従来の梱包箱においては、一枚の段ボールに切れ目や折り目を入れて組み立てるようにしているが、図７に示すように、平面視で略十字形状となり、段ボールシートから型どりする場合に無駄になる部分が多いという問題を有している。また、顧客によっては付属品を同梱しない場合があり、その場合、仕切部３ｂが移動し梱包物ががたついてしまうという問題や、縦及び横方向の圧縮強度が弱くなるという問題を有している。
【０００４】
本発明は、上記従来の問題を解決するものであって、段ボールシートからの型どりの無駄を低減するとともに、付属品の収納空間を確保し且つ付属品を収納しない場合でも圧縮強度を確保することができる梱包箱を提供することを目的とする。
【課題を解決するための手段】
【０００５】
上記目的を達成するために、本発明の梱包箱は、一枚の段ボールを型どりしそこに切れ目や折り目を入れて組み立てる梱包箱であって、底部１１の周囲に折り目を介して連設され、それぞれ対向する外壁部を構成する第１外壁部１２ａと第２外壁部１２ｂおよび第３外壁部１２ｃと第４外壁部１２ｄとを備え、
第３外壁部１２ｃに折り目を介して連設された内壁部１２ｅと、内壁部１２ｅの端部に形成された切欠部１７と、第４外壁部１２ｄに折り目を介して連設された外蓋部１９と、
第１外壁部１２ａおよび第２外壁部１２ｂの三辺にそれぞれ形成され、第３外壁部１２ｃ側に折り目を介して連設された補強片２２、第４外壁部１２ｄ側に折り目を介して連設された内壁部２３、補強片２２と内壁部２３との間の外側に折り目を介して連設された内蓋部２４と、
第１外壁部１２ａおよび第２外壁部１２ｂの一対の内壁部２３に外蓋部１９に沿って、折り目を介して連設された主仕切部２５ａ、２６ａと、主仕切部２５ａ、２６ａの外側に折り目を介して連設された付属品用蓋部２５ｂ、２６ｂおよび副仕切部２５ｃ、２６ｃと、主仕切部２５ａ、２６ａに外蓋部１９に沿って折り目を介して連接された補強片２７とを有し、
第１外壁部１２ａ、第１外壁部１２ａ側の内壁部２３及び主仕切部２５ａにより第１の収納空間３０を形成し、第２外壁部１２ｂ、第２外壁部１２ｂ側の内壁部２３及び主仕切部２６ａにより第２の収納空間３１を形成し、付属品用蓋部２６ｂ、副仕切部２６ｃを折り曲げて副仕切部２６ｃを主仕切部２５ａに重ね、副仕切部２６ｃと主仕切部２６ａとの間に第３の収納空間３２を形成し、内壁部１２ｅを折り曲げて第３外壁部１２ｃに重ね、重なった内壁部１２ｅと第３外壁部１２ｃの間に補強片２２、２７を挿入して構成されることを特徴とする。
【発明の効果】
【０００６】
本発明においては、段ボールシートからの型どりの無駄を低減するとともに、付属品の収納空間を確保し且つ付属品を収納しない場合でも圧縮強度を確保することができる。
【発明を実施するための最良の形態】
【０００７】
以下、本発明の実施の形態を図面を参照しつつ説明する。図１〜図５は、本発明の梱包箱の１実施形態を示し、図１は梱包箱の展開図、図２〜図５は組立方法を説明するための図である。
【０００８】
図１において、本発明の梱包箱１０は、一枚の段ボールを型どりしそこに切れ目や折り目（点線で示す）を入れて組み立てるようにしたもので、底部１１と、底部１１の周囲に折り目を介して連設された第１外壁部１２ａ、第２外壁部１２ｂ、第３外壁部１２ｃ、第４外壁部１２ｄを備えている。第１外壁部１２ａと第２外壁部１２ｂおよび第３外壁部１２ｃと第４外壁部１２ｄはそれぞれ対向する外壁部を構成している。
【０００９】
第３外壁部１２ｃには近接する２本の折り目を介して内壁部１２ｅが連設され、底部１１と第３外壁部１２ｃとの間には一対の係合穴１３が形成されている。また、第３外壁部１２ｃと内壁部１２ｅに跨って形成されたＵ字状の切れ目により係合片１４が形成され、第３外壁部１２ｃと内壁部１２ｅの間には係合穴１５が形成されている。さらに、内壁部１２ｅの端部には、一対の係合片１６と切欠部１７が形成されている。この構成により、内壁部１２ｅを第３外壁部１２ｃに対して谷折りにし、係合片１６を係合穴１３に係合可能にしている。なお、係合穴１３と係合片１６は必須のものではなく省略してもよい。切欠部１７は後述する補強片２２、２７を挿入するために形成されている。
【００１０】
第３外壁部１２ｃに対向する第４外壁部１２ｄには折り目を介して外蓋部１９が連設され、外蓋部１９の端部には、係合片２０と係合穴２１が形成されている。係合片２０は第３外壁部１２ｃと内壁部１２ｅの間の係合穴１５に係合可能にされ、係合穴２１には第３側壁部１２ｃの係合片１４が係合可能にされている。
【００１１】
対向する第１外壁部１２ａおよび第２外壁部１２ｂの三辺には、それぞれ第３外壁部１２ｃ側に鈎状の補強片２２が折り目を介して連設され、また、第４外壁部１２ｄ側に内壁部２３が折り目を介して連設され、補強片２２と内壁部２３との間の外側に内蓋部２４が折り目を介して連設されている。
【００１２】
第１外壁部１２ａおよび第２外壁部１２ｂの一対の内壁部２３には外蓋部１９に沿って、それぞれ主仕切部２５ａ、２６ａが折り目を介して連設され、主仕切部２５ａ、２６ａの外側には付属品用蓋部２５ｂ、２６ｂおよび副仕切部２５ｃ、２６ｃが連設されている。また、付属品用蓋部２５ｂ、２６ｂおよび副仕切部２５ｃ、２６ｃとの間には切り込み２５ｅ、２６ｅにより突出部２５ｄ、２６ｄが形成されている。さらに突出部２６ｄと副仕切部２６ｃとの間にはスリット２６ｆが形成されている。また、主仕切部２５ａ、２６ａには外蓋部１９に沿って補強片２７が折り目を介して連設されている。
【００１３】
次に図２〜図５により、上記構成からなる梱包箱の組立方法について説明する。先ず図２に示すように、第１外壁部１２ａを谷折りで起こした後、補強片２２、内壁部２３、主仕切部２５ａ、補強片２７を谷折りで内側に囲むように折り曲げて第１の収納空間３０を形成する。
【００１４】
次に、図３に示すように、第２外壁部１２ｂを谷折りで起こした後、補強片２２、内壁部２３、主仕切部２６ａ、補強片２７を谷折りで内側に囲むように折り曲げて第２の収納空間３１を形成するとともに、付属品用蓋部２６ｂ、副仕切部２６ｃを谷折りで折り曲げて副仕切部２６ｃを主仕切部２５ａに重ね、副仕切部２６ｃと主仕切部２６ａとの間に第３の収納空間３２を形成する。次に、副仕切部２５ｃ、付属品用蓋部２５ｂを谷折りして副仕切部２５ｃを主仕切部２６ａに重ねる。
【００１５】
次に、図３において、内壁部１２ｅを谷折りで折り曲げて第３外壁部１２ｃに重ね、一対の係合片１６を係合穴１３に係合した後、重なった内壁部１２ｅと第３外壁部１２ｃの間に補強片２２、２７を挿入すると図４に示す状態となる。これにより横方向の圧縮強度を高めることができる。補強片２２、２７は内壁部１２ｅと第３外壁部１２ｃによって囲まれることにより仕切部を安定させ箱全体の形態を安定させている。なお、図４においては図の理解を容易にするために、副仕切部２５ｃを残した状態を示し、最終的には図５に示す状態となる。
【００１６】
図５において、一対の内蓋部２４を閉じると、内蓋部２４の内面は突出部２５ｄ、２６ｄに当接され、これにより縦方向の圧縮強度を高めることができる。次に、外蓋部１９を閉めてその係合片２０を係合穴１５に挿入した後、係合片１４を外蓋部１９の係合穴２１に挿入して梱包が終了する。
【図面の簡単な説明】
【００１７】
【図１】本発明の梱包箱の１実施形態を示し、梱包箱の展開図である。
【図２】図１の梱包箱の組立方法を説明するための図である。
【図３】図２に続く組立方法を説明するための図である。
【図４】図３に続く組立方法を説明するための図である。
【図５】図４に続く組立方法を説明するための図である。
【図６】従来の梱包箱の斜視図である。
【図７】図６の梱包箱の展開図である。
【符号の説明】
【００１８】
１１…底部、１２ａ〜１２ｄ…第１〜第４外壁部、１２ｅ、２３…内壁部
１７…切欠部、１９…外蓋部、２２、２７…補強片、２４…内蓋部
２５ａ、２６ａ…主仕切部、２５ｂ、２６ｂ…付属品用蓋部
２５ｃ、２６ｃ…副仕切部
３０…第１の収納空間、３１…第２の収納空間、３２…第３の収納空間
【図１】
2005313933.tif 000003
【図２】
2005313933.tif 000004
【図３】
2005313933.tif 000005
【図４】
2005313933.tif 000006
【図５】
2005313933.tif 000007
【図６】
2005313933.tif 000008
【図７】
2005313933.tif 000009